(57)【要約】  ゴルフボールの飛翔方向の安定性に優れたゴルフクラブヘッドおよびゴルフクラブを提供する。ゴルフクラブヘッドはゴルフボールを打撃するフェース面を備えるフェース部と、フェース部に設けられ、ゴルフクラブシャフトを固定するホーゼル部とを有し、フェース面が所定のロフト角度に形成されている。ホーゼル部は、フェース部に設けられ、フェース部からフェース面に対して突出した突出部と、突出部と一体に設けられ、ゴルフクラブシャフトを所定のライ角に固定する固定部を有する。フェース面にはゴルフボールの飛翔方向のガイドとなるマークが少なくとも１つ設けられている。
2019186818.tif 000002
【特許請求の範囲】
【請求項１】
ゴルフボールを打撃するフェース面を備えるフェース部と、前記フェース部に設けられ、ゴルフクラブシャフトを固定するホーゼル部とを有し、前記フェース面が所定のロフト角度に形成されているゴルフクラブヘッドであって、
前記ホーゼル部は、前記フェース部に設けられ、前記フェース部から前記フェース面に対して突出した突出部と、前記突出部と一体に設けられ、前記ゴルフクラブシャフトを所定のライ角に固定する固定部を有し、
前記フェース面には、前記ゴルフボールの飛翔方向のガイドとなるマークが少なくとも１つ設けられていることを特徴とするゴルフクラブヘッド。
【請求項２】
前記突出部は、前記フェース部のトップブレードのヒール側の端部だけで前記フェース部に接続されている請求項１に記載のゴルフクラブヘッド。
【請求項３】
ゴルフボールを打撃するフェース面を備えるフェース部と、前記フェース部に設けられ、ゴルフクラブシャフトを固定するホーゼル部とを有し、前記フェース面が所定のロフト角度に形成されており、前記ホーゼル部は、前記フェース部に設けられ、前記フェース部から前記フェース面に対して突出した突出部と、前記突出部と一体に設けられ、前記ゴルフクラブシャフトを所定のライ角に固定する固定部を有し、
前記フェース面には、前記ゴルフボールの飛翔方向のガイドとなるマークが少なくとも１つ設けられているゴルフクラブヘッドを有することを特徴とするゴルフクラブ。
【請求項４】
ゴルフクラブヘッドと、前記ゴルフクラブヘッドが一端に設けられるゴルフクラブシャフトと、前記ゴルフクラブシャフトの他端に設けられるゴルフクラブグリップとを有し、
前記ゴルフクラブグリップは、目印が長手方向に沿って等間隔に複数設けられており、
前記目印は、前記ゴルフクラブグリップの外周に沿って全周に設けられており、
前記ゴルフクラブヘッドは、ゴルフボールを打撃するフェース面を備えるフェース部と、前記フェース部に設けられ、前記ゴルフクラブシャフトを固定するホーゼル部とを有し、前記フェース面が所定のロフト角度に形成されており、前記ホーゼル部は、前記フェース部に設けられ、前記フェース部から前記フェース面に対して突出した突出部と、前記突出部と一体に設けられ、前記ゴルフクラブシャフトを所定のライ角に固定する固定部を有し、
前記フェース面には、前記ゴルフボールの飛翔方向のガイドとなるマークが少なくとも１つ設けられていることを特徴とするゴルフクラブ。
【請求項５】
前記目印は、溝で構成されている請求項４に記載のゴルフクラブ。
【請求項６】
前記突出部は、前記フェース部のトップブレードのヒール側の端部だけで前記フェース部に接続されている請求項３〜５のいずれか１項に記載のゴルフクラブ。
【発明の詳細な説明】
【技術分野】
【０００１】
本発明は、打球されたゴルフボールの飛翔方向が安定するゴルフクラブヘッドおよびゴルフクラブに関する。
【背景技術】
【０００２】
ゴルフクラブに求められる機能の１つとして、安定した打球を得ることが挙げられる。安定した打球を得るために、ゴルフボールの打撃を安定させるということに着目して、ゴルフクラブに改良が試みられている。【０００３】
特許文献１には、シャンクが発生しにくいアイアンゴルフクラブヘッドが記載されている。特許文献１のアイアンゴルフクラブヘッドは、ホーゼルよりリーディングエッジが前方に出ないアイアンゴルフクラブヘッドにおいて、ヘッド本体のバックフェース側からフェース側へ折れ曲がってネックを形成し、このネックから所定のライ角を形成するように上方に立ち上がってホーゼルを形成するとともに、フェースをトウからヒールにわたって面一に形成されている。
【先行技術文献】
【特許文献】
【０００４】
【特許文献１】特開平７−２３１９５６号公報
【発明の概要】
【発明が解決しようとする課題】
【０００５】
ゴルフクラブのうち、アイアンゴルフクラブは、ゴルフコースにおいて様々な状況で使用されるものであり、ゴルフボールの飛翔方向が安定することが要求されるが、特許文献１のアイアンゴルフクラブヘッドでは、ゴルフボールの飛翔方向が必ずしも安定しない。
さらには、アイアンゴルフクラブは、ゴルフコースにおいて様々な状況で使用されるため、距離を打ち分けることも要求されるが、特許文献１のアイアンゴルフクラブヘッドでは、距離の打ち分けに十分に対応することができない。【０００６】
本発明の目的は、前述の従来技術に基づく問題点を解消し、ゴルフボールの飛翔方向の安定性に優れたゴルフクラブヘッドおよびゴルフクラブを提供することにある。
また、他の目的は、距離の打ち分けが容易なゴルフクラブヘッドおよびゴルフクラブを提供することにある。
【課題を解決するための手段】
【０００７】
上述の目的を達成するために、本発明は、ゴルフボールを打撃するフェース面を備えるフェース部と、フェース部に設けられ、ゴルフクラブシャフトを固定するホーゼル部とを有し、フェース面が所定のロフト角度に形成されているゴルフクラブヘッドであって、ホーゼル部は、フェース部に設けられ、フェース部からフェース面に対して突出した突出部と、突出部と一体に設けられ、ゴルフクラブシャフトを所定のライ角に固定する固定部を有し、フェース面には、ゴルフボールの飛翔方向のガイドとなるマークが少なくとも１つ設けられていることを特徴とするゴルフクラブヘッドを提供するものである。
突出部は、フェース部のトップブレードのヒール側の端部だけでフェース部に接続されていることが好ましい。【０００８】
本発明は、ゴルフボールを打撃するフェース面を備えるフェース部と、フェース部に設けられ、ゴルフクラブシャフトを固定するホーゼル部とを有し、フェース面が所定のロフト角度に形成されており、ホーゼル部は、フェース部に設けられ、フェース部からフェース面に対して突出した突出部と、突出部と一体に設けられ、ゴルフクラブシャフトを所定のライ角に固定する固定部を有し、フェース面には、ゴルフボールの飛翔方向のガイドとなるマークが少なくとも１つ設けられているゴルフクラブヘッドを有することを特徴とするゴルフクラブを提供するものである。【０００９】
本発明は、ゴルフクラブヘッドと、ゴルフクラブヘッドが一端に設けられるゴルフクラブシャフトと、ゴルフクラブシャフトの他端に設けられるゴルフクラブグリップとを有し、ゴルフクラブグリップは、目印が長手方向に沿って等間隔に複数設けられており、目印は、ゴルフクラブグリップの外周に沿って全周に設けられており、ゴルフクラブヘッドは、ゴルフボールを打撃するフェース面を備えるフェース部と、フェース部に設けられ、ゴルフクラブシャフトを固定するホーゼル部とを有し、フェース面が所定のロフト角度に形成されており、ホーゼル部は、フェース部に設けられ、フェース部からフェース面に対して突出した突出部と、突出部と一体に設けられ、ゴルフクラブシャフトを所定のライ角に固定する固定部を有し、フェース面には、ゴルフボールの飛翔方向のガイドとなるマークが少なくとも１つ設けられていることを特徴とするゴルフクラブを提供するものである。
目印は、溝で構成されていることが好ましい。
突出部は、フェース部のトップブレードのヒール側の端部だけでフェース部に接続されていることが好ましい。
【発明の効果】
【００１０】
本発明によれば、ゴルフボールの飛翔方向の安定性に優れたゴルフクラブヘッドおよびゴルフクラブを得ることができる。また、ゴルフボールの飛翔方向の安定性に優れ、かつ容易に距離を打ち分けることができるゴルフクラブヘッドおよびゴルフクラブを得ることができる。
【図面の簡単な説明】
【００１１】
【図１】本発明の実施形態のゴルフクラブを示す模式図である。
【図２】本発明の実施形態のゴルフクラブのゴルフクラブヘッドを示す模式的斜視図である。
【図３】本発明の実施形態のゴルフクラブのゴルフクラブヘッドを示す模式図である。
【図４】本発明の実施形態のゴルフクラブのゴルフクラブヘッドとホーゼル部の接続状態を示す模式的斜視図である。
【図５】（ａ）は本発明の実施形態のゴルフクラブのゴルフクラブヘッドのマークの第１の例を示す模式図であり、（ｂ）は本発明の実施形態のゴルフクラブのゴルフクラブヘッドのマークの第２の例を示す模式図であり、（ｃ）は本発明の実施形態のゴルフクラブのゴルフクラブヘッドのマークの第３の例を示す模式図であり、（ｄ）は本発明の実施形態のゴルフクラブのゴルフクラブヘッドのマークの第４の例を示す模式図である。
【図６】本発明の実施形態のゴルフクラブを示す模式図である。
【図７】（ａ）は本発明の実施形態のゴルフクラブの使用例の一例を示す模式的斜視図であり、（ｂ）は本発明の実施形態のゴルフクラブの使用例の他の例を示す模式的斜視図である。
【図８】本発明の実施形態のゴルフクラブのゴルフクラブヘッドのマークの第５の例を示す模式的斜視図である。
【図９】本発明の実施形態のゴルフクラブのゴルフクラブグリップを示す模式図である。
【図１０】本発明の実施形態のゴルフクラブの使用形方法を説明する模式図である。
【発明を実施するための形態】
【００１２】
以下に、添付の図面に示す好適実施形態に基づいて、本発明のゴルフクラブヘッドおよびゴルフクラブを詳細に説明する。
図１は本発明の実施形態のゴルフクラブを示す模式図であり、図２は本発明の実施形態のゴルフクラブのゴルフクラブヘッドを示す模式的斜視図であり、図３は本発明の実施形態のゴルフクラブのゴルフクラブヘッドを示す模式図であり、図４は本発明の実施形態のゴルフクラブのゴルフクラブヘッドとホーゼル部の接続状態を示す模式的斜視図である。
なお、図２は、ゴルフクラブヘッド１２を水平面Ｈ上に設置した状態を示す。図４はフェース部２０のヒール側から見た模式的斜視図である。
【００１３】
図１に示すゴルフクラブ１０は、ゴルフクラブヘッド１２と、ソケット１４と、ゴルフクラブシャフト１６と、ゴルフクラブグリップ１８とを有する。
ゴルフクラブ１０は、ゴルフクラブシャフト１６の一端がソケット１４を介してゴルフクラブヘッド１２のホーゼル部２４に取り付けられている。また、ゴルフクラブシャフト１６の他端、すなわち、ゴルフクラブヘッド１２が取り付けられる反対側にゴルフクラブグリップ１８が取り付けられている。なお、ゴルフクラブシャフト１６は、ゴルフクラブヘッド１２に必ずしもソケット１４を介して固定される必要はなく、ゴルフクラブによっては、ソケットがなく、ゴルフクラブヘッドに直接ゴルフクラブシャフトが固定されるものもある。
【００１４】
ゴルフクラブヘッド１２は、例えば、フェース部２０、ソール部２２およびホーゼル部２４を有する。ゴルフクラブヘッド１２では、フェース部２０、ソール部２２およびホーゼル部２４が一体的形成されている。ゴルフクラブヘッド１２は、一般的にアイアンまたはウェッジと呼ばれる種類のヘッドである。
【００１５】
フェース部２０は、ゴルフボールを打撃するフェース面２０ａを有し、フェース部２０の表面がフェース面２０ａである。
フェース部２０のフェース面２０ａには、図１および図３に示すように、ヒールからトウ方向に伸びたスコアライン２３が複数平行に形成されている。
フェース面２０ａには、マーク４０が１つ設けられている。マーク４０は、少なくとも１つ設けられていればよい。マーク４０については、後に詳細に説明するが、マーク４０は、ゴルフボールの飛翔方向４２のガイドとなるものである。マーク４０は、ゴルファーのアドレスの際に、ゴルフボールに対するゴルフクラブヘッド１２との位置を規定するためのものである。なお、飛翔方向４２は、マーク４０を通るフェース面２０ａに垂直な方向である。
ソール部２２は、フェース部２０に連続して下方に設けられるものである。
ゴルフクラブヘッド１２では、ロフト角度θは、例えば、４０°〜６５°である。ロフト角度については、後に詳細に説明する。
【００１６】
また、フェース部２０におけるフェース長さ、すなわち、ゴルフクラブヘッド１２のヒール部の最後端からトウ部の最後端までの長さは、特に限定されるものではなく、一般的なゴルフクラブヘッドの大きさから、例えば、７０〜１３０ｍｍ程度である。
フェース部２０におけるフェース長さとは、基準面上にゴルフクラブヘッド１２を通常のアドレスポジションに設定した状態において、ゴルフクラブヘッド１２のヒール部の最後端を基準面から２２．２３ｍｍ上方の位置とし、トウ部の最後端を最も張り出した位置としたときに、シャフト軸Ｓを含み基準面に垂直な平面の方向における距離のことである。
【００１７】
また、フェース部２０におけるフェース高さ、すなわち、ゴルフクラブヘッド１２のソール部の最後端からクラウン部またはトップブレード部の最後端までの長さは、特に限定されるものではなく、一般的なゴルフクラブヘッドの大きさから、例えば、３５〜７５ｍｍ程度である。
フェース部２０におけるフェース高さとは、基準面上にゴルフクラブヘッド１２を通常のアドレスポジションに設定した状態において、ゴルフクラブヘッド１２のソール部の最後端を、ソール部のソール面が接地している基準面とし、クラウン部またはトップブレード部の最後端を最も張り出した位置とした場合における鉛直方向の距離のことである。
【００１８】
ホーゼル部２４は、ゴルフクラブシャフト１６をゴルフクラブヘッド１２に固定するものであり、フェース部２０のヒール側に一体的に設けられている。このホーゼル部２４には、ゴルフクラブシャフト１６が挿入される開口部（図示せず）が設けられている。ゴルフクラブシャフト１６は、ゴルフクラブヘッド１２にソケット１４を介して固定される。
【００１９】
ホーゼル部２４は、フェース部２０のヒール側に一体的に設けられ、フェース部２０からフェース面２０ａに対して突出した突出部２５と、突出部２５と一体、かつ連続して設けられた固定部２６を有する。固定部２６は、図３に示すようにゴルフクラブシャフト１６を所定のライ角γに固定するものである。突出部２５を有するホーゼル部２４とすることで、フェース面２０ａのヒール側の領域２１ｂに構造物がなく平面になっている。
また、図４に示すように、突出部２５は、フェース部２０のトップブレード２１のヒール側の端部２１ｃだけで、フェース部２０と接続されている。突出部２５はフェース面２０ａおよびバックフェース２０ｂのいずれにもかかっておらず、トップブレード２１だけで接続されている。
【００２０】
ホーゼル部２４の固定部２６は、例えば、その周面２６ａの延長線Ｌがリーディングエッジ２２ａよりもソール部２２側にある。なお、ホーゼル部２４は、周面２６ａの延長線Ｌがリーディングエッジ２２ａと一致してもよく、周面２６ａの延長線Ｌはリーディングエッジ２２ａよりも前側でもよい。
【００２１】
突出部２５を有するホーゼル部２４とし、突出部２５とフェース部２０とを、トップブレード２１のヒール側の端部２１ｃだけで接続することにより、フェース面２０ａのヒール側の領域２１ｂに構造物がなく、平面とすることができる。これにより、シャンク等のゴルフボールの打ち損じを減らすことができ、打球が安定する。
突出部２５の軸線Ｃと、フェース面２０ａとのなす角度を取付角αとする。取付角αは特に限定されるものではない。
また、突出部２５の軸線Ｃとシャフト軸Ｓとのなす角度を配置角βとする。配置角βも特に限定されるものではない。
取付角αおよび配置角βについては、ロフト角度θが４０°の場合、例えば、取付角αは９５°、配置角βは１２５°である。また、ロフト角度θが５５°の場合、例えば、取付角αは８０°、配置角βは１５５°である。
【００２２】
また、上述のように、突出部２５は、トップブレード２１上にあり、フェース面２０ａにもバックフェース２０ｂにもかかっていない。これにより、ホーゼル部２４の質量増を抑制することができ、ソール部２２等への質量配分を多くすることができる。これにより、ゴルフクラブヘッド１２の慣性モーメントおよび重心深度等を調整するマージンを多くすることができる。
【００２３】
ゴルフクラブヘッド１２は、ホーゼル部２４がフェース面２０ａよりバックフェース２０ｂ側にあり、フェースプログレッションＦＰが、いわゆるストレートネックのものと同程度である。また、ホーゼル部２４をフェース面２０ａよりも前に出すことにより、フェースプログレッションＦＰを小さくできる。これにより、ゴルフボールの打撃の際につかまりやすくなり、打ち損じを減らすことができ、打球が安定する。このように、フェースプログレッションＦＰを調整することができ、フェースプログレッションＦＰの調整により、打球の安定性等を変えることができる。
【００２４】
フェースプログレッションＦＰとは、ゴルフクラブヘッド１２をフェース面２０ａが設定されたロフト角度θになるように水平面Ｈに配置したときにおける、すなわち、ゴルフクラブヘッド１２を通常のアドレスポジションに設置したときにおけるシャフト軸Ｓとフェース面２０ａの最先端の位置（図２ではリーディングエッジ２２ａ）との水平面Ｈと平行な方向における距離のことである。
フェースプログレッションＦＰは、ゴルフクラブヘッド１２をフェース面２０ａが設定されたロフト角度になるように水平面Ｈに配置した状態で、定規、ノギス等を用いて、シャフト軸Ｓとフェース面２０ａの最先端の位置との水平面Ｈと平行な方向の距離を測定したものである。
【００２５】
ゴルフクラブヘッド１２の形状は、特に限定されるものではない。ゴルフクラブヘッド１２としては、公知のアイアンまたはウェッジを適宜利用可能である。構造としても、特に限定されるものではなく、中空構造、マッスルバック、キャビティバック、およびポケットキャビティ等の公知の構造を適宜利用可能である。
ゴルフクラブヘッド１２の材質も、特に限定されるものではなく、軟鉄、ステンレス鋼、ニッケルクロムモリブデン鋼、およびチタン合金等を用いて構成することができ、また、軟鉄、ステンレス鋼、ニッケルクロムモリブデン鋼、およびチタン合金等からなる部材を組み合わせて構成してもよい。
さらには、ソール部２２に錘を配置してもよい。錘は、比重の大きい金属または合金で構成され、例えば、タングステン、またはタングステン合金等で構成することができる。
【００２６】
次に、フェース面２０ａに設けられたマーク４０について説明する。
マーク４０は、上述のようにゴルフボールの飛翔方向４２のガイドとなるものである。また、マーク４０は、装飾的な機能を兼ねてもよい。
なお、マーク４０は、ゴルフ規則を満たす必要がある。ゴルフ規則によれば、装飾的なマーキングは、インパクトエリアＤｉ内に設ける必要があり、かつ各辺の長さが０．３７５インチ（９．５２ｍｍ）の正方形の範囲内に設ける必要がある。
図５（ａ）は本発明の実施形態のゴルフクラブのゴルフクラブヘッドのマークの第１の例を示す模式図であり、（ｂ）は本発明の実施形態のゴルフクラブのゴルフクラブヘッドのマークの第２の例を示す模式図であり、（ｃ）は本発明の実施形態のゴルフクラブのゴルフクラブヘッドのマークの第３の例を示す模式図であり、（ｄ）は本発明の実施形態のゴルフクラブのゴルフクラブヘッドのマークの第４の例を示す模式図である。
マーク４０は、例えば、図５（ａ）に示すように四角形である。マーク４０は、図５（ｂ）に示すように円形でもよい。また、マーク４０は、１つの要素で構成されることに限定されるものではなく、複数の要素で構成されてもよい。この場合、例えば、図５（ｃ）に示すように、四角形の要素４１を４つ組み合わせて、図５（ａ）に示す四角形のマーク４０を構成してもよい。
【００２７】
また、図５（ｄ）に示すように、スコアライン２３の間に、マーク４０を設ける構成でもよい。この場合、マーク４０は、例えば、円形の要素４３がスコアライン２３の延長線上に複数並んで配置されて構成される。ゴルフ規則により、円形の要素４３の直径は、スコアライン２３の幅よりも小さい。
なお、円形の要素４３の直径がスコアライン２３の幅よりも大きい場合には、ゴルフ規則により、要素４３とスコアライ２３とは、パンチマークと溝の間隔の仕様を満たさなければならない。
上述のマーク４０、マーク４０を構成する要素４１および要素４３は、いずれも、ゴルフ規則を満たすものであり、例えば、パンチマークで構成される。パンチマークの場合には、面積を２．８ｍｍ２以下、深さを１．０ｍｍ以下、隣接するパンチマークまたは凹溝の中心位置間の距離を４．３ｍｍ以上とする。
【００２８】
図６は本発明の実施形態のゴルフクラブを示す模式図である。ゴルフクラブヘッド１２は、図６に示すように、例えば、直線Ｇを基準にしてソール部２２を角度ｍ１傾け、ゴルフクラブシャフト１６も、シャフト軸Ｓを平面に投影した投影線Ｇ２が直線Ｇに対して角度ｍ２傾けて、マーク４０をゴルフボールＢに合わせて配置される。この場合、飛翔方向４２は、マーク４０を通るフェース面２０ａに垂直な方向である。このように、マーク４０が設けられたゴルフクラブ１０は、例えば、図６に示すようにセットして使用される。マーク４０を設けることにより、ゴルフボールＢとゴルフクラブヘッド１２との位置合わせの再現性が高くなり、ゴルフボールＢの飛翔方向４２が安定する。すなわち、ゴルフボールＢの打球方向の再現性を高くできる。
【００２９】
上述のマーク４０が設けられたゴルフクラブ１０は、例えば、図７（ａ）および（ｂ）に示すようにセットして使用される。この場合でも、マーク４０を用いることにより、ゴルフボールＢの飛翔方向が安定する。すなわち、ゴルフボールＢの打球方向の再現性を高くできる。
図７（ａ）は本発明の実施形態のゴルフクラブの使用例の一例を示す模式的斜視図であり、（ｂ）は本発明の実施形態のゴルフクラブの使用例の他の例を示す模式的斜視図である。
例えば、図７（ａ）に示すように、直線Ｇを基準にしてソール部２２を角度ｍ１傾け、例えば、１１°傾けて、ゴルフクラブシャフト１６も、直線Ｇに対してシャフト軸Ｓを角度ｍ２傾け、例えば、１１°傾けて配置する。上述のように飛翔方向４２は、マーク４０を通るフェース面２０ａに垂直な方向である。このため、図７（ａ）では、ゴルフボールＢの飛翔方向４２は直線Ｇに対して傾いた方向である。
【００３０】
また、例えば、図７（ｂ）に示すように、直線Ｇと平行にソール部２２を配置する。このとき、ゴルフクラブシャフト１６は、直線Ｇに対してシャフト軸Ｓが角度ｍ２傾いて配置される。図７（ｂ）では、ゴルフボールＢの飛翔方向４２は直線Ｇに対して垂直な方向である。
図７（ａ）および（ｂ）は、いずれも、ゴルフクラブ１０を構えたゴルファー目線で、ゴルフクラブシャフト１６とマーク４０とが一直線上になるように、ゴルフクラブヘッド１２がゴルフボールＢに対して配置された状態を示している。
上述の図７（ａ）および（ｂ）のいずれの場合も、ライ角γについては、特に限定されるものではなく、フェアウェイ、ラフ、セミラフ、バンカー等のゴルフボールＢの置かれた状況等に応じて適宜決定されるものである。
【００３１】
マーク４０を設けることにより、ゴルフボールＢと、ゴルフクラブヘッド１２のフェース面２０ａとの相対的な位置関係を高い再現性で再現することができる。これにより、ゴルフボールＢの飛翔方向を一定にすることができ、飛翔方向が安定する。しかも、上述の図７（ａ）および（ｂ）に示すように、ゴルフクラブヘッド１２の配置を変えることにより飛翔方向４２を変えることができる。
また、上述のようにゴルフクラブシャフト１６とマーク４０とを一直線上にして、ゴルフクラブヘッド１２をゴルフボールＢに対して配置することにより、ゴルフボールＢが実施に飛翔した場合の飛翔方向４２に対するずれを小さくできる。すなわち、ゴルフボールＢの実際の飛翔方向について、ゴルファーが狙った方向に対する精度が高くなり、ゴルフボールＢを真直ぐに飛ばす、または真直ぐに転がすことができる。
なお、マーク４０を、ゴルフクラブシャフト１６のシャフト軸Ｓの延長線上に位置するように配置してもよい。
【００３２】
マーク４０は、上述のように１つに限定されるものではなく、様々な状況に対応するために、複数設けてもよい。
図８は本発明の実施形態のゴルフクラブのゴルフクラブヘッドのマークの第５の例を示す模式的斜視図である。
例えば、図８に示すように、フェース面２０ａに２つのマーク４０ａ、４０ｂを設ける構成としてもよい。２つのマーク４０ａ、４０ｂは、スコアライン２３の伸びる方向と平行に配置されており、マーク４０ａがヒール側に配置され、マーク４０ｂがトウ側に配置されている。２つのマーク４０ａ、４０ｂは、ゴルフボールＢの飛翔方向４２に応じて選択される。例えば、トウ側のマーク４０ｂを利用すれば、ゴルフボールをゴルファーから離れていく方向に打球できる。また、ヒール側のマーク４０ａを利用すれば、ゴルフボールをゴルファーに近づく方向に打球できる。このように複数のマーク４０ａ、４０ｂにより、ゴルフボールＢの飛翔方向４２を容易に変えることができる。
また、マーク４０ａとマーク４０ｂとの配置位置は、図８に示すものに限定されるものではなく、スコアライン２３と垂直な方向に並べて配置してもよく、任意の角度並べて配置してもよい。
【００３３】
図９は本発明の実施形態のゴルフクラブのゴルフクラブグリップを示す模式図である。
ゴルフクラブグリップ１８は、目印３２が長手方向ＤＬに沿って等間隔に複数設けられている。目印３２は、ゴルフクラブグリップ１８の外周に沿って全周に設けられている。目印３２は、例えば、溝で構成されている。
ゴルフクラブグリップ１８は、グリップ部３０は、先端３０ｂ側の先にゴルフクラブヘッド１２がある。基端３０ａ側は、ゴルフクラブ１０の端部側である。
ゴルフクラブグリップ１８は、材質に関しては、公知のゴルフクラブグリップで利用されるものが適宜利用可能であり、例えば、合成ゴムで構成される。また、目印３２以外では、握った際の滑り止め用の溝が形成されている構成でもよい。滑り止め用の溝についても、公知のゴルフクラブグリップで利用されているものを適宜利用可能である。
【００３４】
目印３２の間隔Ｄは、等間隔であり、例えば、１インチであるが、これに限定されるものではない。
目印３２を目安にゴルファーが握るため、先端３０ｂに最も近い目印３２を目安にゴルファーが握った際に、ゴルフクラブシャフト１６と手が触れることがないように、グリップ部３０の先端３０ｂ側は、従来のものよりも長さが長い。ゴルフクラブグリップ１８の握る範囲がゴルフクラブヘッド１２側に長くある、このため、身長の小さい方、例えば、子供であっても利用することができ、子供からご年配の方まで、老若男女を問わず、幅広い年齢層の人々に適合する。
目印３２は、ゴルフクラブグリップ１８とは異なる色であることが好ましく、ゴルフクラブグリップ１８が黒の場合、例えば、目印３２に白、赤、または青等の色を付ける。これにより、目印３２を視認しやすくなる。なお、目印３２はゴルフクラブグリップ１８と同じ色であってもよく、この場合、目印３２に対して着色等せずに、単に目印３２を溝だけで構成する。
【００３５】
ゴルフクラブシャフト１６は、特に限定されるものではなく、スチールシャフトでも、カーボンシャフトでもよい。ゴルフクラブシャフト１６の長さは、例えば、男性用であれば３５．５インチ、女性用であれば３４．５インチである。
なお、ゴルフクラブ１０のライ角γは、例えば、６０°である。ライ角γについては、±１°程度許容される。
【００３６】
以下、ロフト角度θについて説明する。
ロフト角度θは、図２に示すように、シャフト軸Ｓとフェース面２０ａとのなす角度であり、ロフト角度測定器により測定される。
【００３７】
ロフト角度θの測定は、ゴルフクラブ１０をロフト角度測定器に取り付けた状態において、ゴルフクラブ１０が基準面に対してライ角度通りに設置するようにライ角度調整部において取り付け角度が調整され、次いで、ロフト角度測定器に取り付けられたゴルフクラブ１０は、ソール部２２が基準面に接するように、かつ、フェース角度調整具の先端部にフェース面２０ａが密着するように、すなわち、フェース角が０°、つまり通常のアドレスポジションになるように、ゴルフクラブ１０がチャック部で固定される。
【００３８】
その後、ゴルフクラブヘッド１２のフェース面２０ａの基準面に垂直に立てた分度器を用いてロフト角度θが測定される。フェース面２０ａが平面の場合、上記測定によってロフト角度θが得られる。
ロフト角度θの測定は、上述のように、ゴルフクラブによって測定する他、ゴルフクラブヘッド単体にシャフトピンを差し込んで測定することも可能である。ゴルフクラブヘッド単体で測定して得られるロフト角度θの数値は、上述のゴルフクラブによって測定して得られるロフト角度θと実質的に同じである。
【００３９】
ロフト角度θの測定器は、市販されている公知のものであればよく、例えば、昇峰企業社製の高爾夫球頭測度台、ゴルフギャレーヂ社製のゴルフクラブアングル測定器、ゴルフスミス社製のゴルフクラブゲージ等の測定器が例示される。このような測定器は公知のものであれば良く、本発明において、特に限定されるものではない。
【００４０】
次に、ゴルフクラブの使用方法について説明する。
ゴルファーがゴルフボールＢに対して、図７（ａ）および（ｂ）に示すように、ゴルフクラブヘッド１２のマーク４０の位置を合わせて、ゴルフクラブヘッド１２を配置する。この状態で、ゴルフクラブ１０をスイングして、ゴルフボールＢを打撃する。ここで、図１０は本発明の実施形態のゴルフクラブの使用形方法を説明する模式図である。
ゴルフクラブ１０のスイングに関しては、図１０に示すように、ゴルフクラブ１０を用いて、ゴルフボールＢを打撃する際、ゴルフクラブグリップ１８の目印３２を目安にして握る。複数の目印３２があるが、基端３０ａ側にある目印３２であっても、先端３０ｂ側にある目印３２であっても、同じ振り幅ＷでスイングをしてゴルフボールＢを打撃することにより、ゴルフボールＢの飛距離が変わる。インパクト時の力加減を変える等の技術は不要であり、振り幅Ｗだけで、ゴルフボールＢの飛距離が変わるため、１つのゴルフクラブ１０で、距離を容易に打ち分けることができる。このため、例えば、グリーン周りのアプローチの際等、距離が２本のゴルフクラブの中間にある等、適正なゴルフクラブを選択しにくい場合でも、ゴルフクラブの選択で迷うことが抑制され、ゴルフクラブ１０を容易に選択することができる。具体的には、ピン迄残り８０ヤード以内で有効である。また、ゴルフクラブ１０は、バンカーでも使用することができ、バンカーからも距離の打ち分けが可能である。しかも、上述のようにゴルフボールＢの飛翔方向の安定性が優れる。
【００４１】
ゴルフクラブ１０では、上述のように、ゴルフボールＢの打撃の際のつかまりが良くなり、打ち損じを減らすことができ、打球が安定する。さらには、シャンク等もしにくく、打球が安定する。ゴルフクラブ１０は、ゴルファーの技量を問わず利用することができ、距離感等の技量を補うことができる。
また、ゴルフクラブグリップ１８が従来のものに比して長く、握る範囲がゴルフクラブヘッド１２側に長くある。このため、ゴルフクラブ１０は、身長の小さい方、例えば、子供であっても利用することができ、子供からご年配の方まで、老若男女を問わず、幅広い年齢層の人々に適しており、長い年数使用することができる。
【００４２】
本発明は、基本的に以上のように構成されるものである。以上、本発明のゴルフクラブヘッドおよびゴルフクラブについて詳細に説明したが、本発明は上述の実施形態に限定されず、本発明の主旨を逸脱しない範囲において、種々の改良または変更をしてもよいのはもちろんである。
【符号の説明】
【００４３】
１０  ゴルフクラブ
１２  ゴルフクラブヘッド
１４  ソケット
１６  ゴルフクラブシャフト
１８  ゴルフクラブグリップ
２０  フェース部
２０ａ  フェース面
２０ｂ  バックフェース
２１  トップブレード
２２  ソール部
２２ａ  リーディングエッジ
２３  スコアライン
２４  ホーゼル部
２５  突出部
２６  固定部
３０  グリップ部
３２  目印
４０、４０ａ、４０ｂ  マーク
４１、４３  要素
４２  飛翔方向
Ｄｉ  インパクトエリア
ＦＰ  フェースプログレッション
θ  ロフト角度
α  取り付け角
β  配置角
γ  ライ角
【図１】
2019186818.tif 000003
【図２】
2019186818.tif 000004
【図３】
2019186818.tif 000005
【図４】
2019186818.tif 000006
【図５】
2019186818.tif 000007
【図６】
2019186818.tif 000008
【図７】
2019186818.tif 000009
【図８】
2019186818.tif 000010
【図９】
2019186818.tif 000011
【図１０】
2019186818.tif 000012
【国際調査報告】
2019186818.tif 000013
2019186818.tif 000014
2019186818.tif 000015
2019186818.tif 000016